(57)【要約】【課題】不要な負荷の増大がなく受箱の装着を可能にし、不要な接点板のたわみもなくなることから、信頼性も向上させる電気鉛筆削りを提供する。【解決手段】モータと、モータで駆動されて回転するカッターと、本体ケースに形成された鉛筆挿入口と、カッターと鉛筆挿入口の間に形成された鉛筆挿入通路と、鉛筆挿入通路に挿入された鉛筆を検知しモータに通電させるスイッチと、鉛筆挿入口とスイッチの間に配設され鉛筆挿入通路を遮断する位置と鉛筆挿入通路を開く位置との間を移動可能な挿入阻止部材と、挿入阻止部材を前記鉛筆挿入通路を遮断する位置方向に付勢する付勢手段と、本体ケースに着脱自在に装着され鉛筆の削り屑を収納する受箱とからなり、受箱は前記本体ケースに収納される過程で前記挿入阻止部材が前記鉛筆挿入通路を遮断する位置から鉛筆挿入通路を開く位置に移動させる作動部を具備してなる。【選択図】図３
2008207518.tif 000002
【特許請求の範囲】
【請求項１】
モータと、
前記モータで駆動されて回転するカッターと、
本体ケースに形成された鉛筆挿入口と、
前記カッターと前記鉛筆挿入口の間に形成された鉛筆挿入通路と、
前記鉛筆挿入通路に挿入された鉛筆を検知し前記モータに通電させるスイッチと、
前記鉛筆挿入口と前記スイッチの間に配設され前記鉛筆挿入通路を遮断する位置と前記鉛筆挿入通路を開く位置との間を移動可能な挿入阻止部材と、
前記挿入阻止部材を前記鉛筆挿入通路を遮断する位置方向に付勢する付勢手段と、
前記本体ケースに着脱自在に装着され鉛筆の削り屑を収納する受箱とからなり、
前記受箱は前記本体ケースに収納される過程で前記挿入阻止部材が前記鉛筆挿入通路を遮断する位置から前記鉛筆挿入通路を開く位置に移動させる作動部を具備してなることを特徴とする電気鉛筆削り機。
【発明の詳細な説明】
【技術分野】
【０００１】
本発明は、安全性向上のためのインターロック機構を備えた電気鉛筆削り機に関するものである。
【背景技術】
【０００２】
一般に電気鉛筆削りにおいては、削り屑の受箱を外した状態のとき内部のカッター部が露出するため、インターロック機構を設けて安全を図っている。図６は従来の電気鉛筆削り機の受箱装着時の要部断面図、図７は同電気鉛筆削り機の受箱装着時および鉛筆挿入時の要部断面図、図８は同電気鉛筆削り機の受箱外し時および鉛筆挿入時の要部断面図である。
【０００３】
図６から図８に示すように、本体ケース１８内における鉛筆挿入口の側方には、電源スイッチケース２９が設けられており、電源スイッチケース２９内部には、鉛筆挿入口１９まで延出した電源スイッチボタン３０と、この電源スイッチボタン３０の上方向への移動の際のストッパーとなるリブ３１と、前記電源スイッチボタン３０の上端に接する接点板Ｂ３２と、接点板Ｂ３２と間隔を一定に保つ状態で係止されリブ３３を支点とし回動移動する接点板Ａ３４および、電源スイッチケース２９内部に設けられたボス３５を支点とし回転移動し接点板Ａ３４の位置規制をする関係を持った安全スイッチレバー３６を具備している。受箱２０は、その前板の側部より後方に突き出たレバー作動用のリブ３８を有しており、このレバー作動用のリブ３８は、受箱２０を本体ケース１８に装着したとき、前記安全スイッチレバー３６をボス３５を支点とし反時計方向に回転移動させる関係を持たせている。
【０００４】
図６に示すように、受箱２０を本体ケース１８に装着した状態では、安全スイッチレバー３６はその端部が受箱２０のレバー作動用のリブ３８と接触することによりボス３５を支点とし反時計回りに回転移動し、接点板Ａ３４の位置規制を解除し、接点板３４はリブ３３を支点にそれ自体の弾性力にて通常に位置へ復帰する。
【０００５】
ここで図７に示すように鉛筆挿入口１９より鉛筆３９を挿入すると、電源スイッチボタン３０は鉛筆３９で上方へ押され、それにより接点板Ｂ３２と接点板Ａ３４が接触して電源ＯＮ状態となり、モータ（図示せず）が回転する。
【０００６】
図８に示すように、受箱２０を本体ケース１８より外した状態では、安全スイッチレバー３６を係止していた受箱２０のレバー作動用のリブ３８がないため、安全スイッチレバー３６はスプリング３７のばね力によりボス３５を支点として時計回りに回転移動し、その左端にて接点板Ａ３４を押上げ係止する。その状態にてに鉛筆３９を挿入しても、電源スイッチボタン３０はリブ３１により上方への位置規制を受けているため、接点板Ｂ３２と接点板Ａ３４は接触することはなく一定の間隔を保つことが可能となり、電源ＯＦＦ状態となってモータ（図示せず）は回転しない。
【０００７】
このように受箱２０を本体ケース１８から取り外した状態で鉛筆３９を挿入してもカッターは回転しないので、極めて安全な電気鉛筆削り機とすることができる（特許文献１参照）。
【特許文献１】特開２０００−２５５１９５号公報
【発明の開示】
【発明が解決しようとする課題】
【０００８】
しかしながら、接点板Ａ３４は下方向に弾性力を有しており、スプリング３７はその弾性力にうち勝つ力が要求される。確実に接点板Ａ３４を図７の位置に移動させるためにはスプリング３７の荷重は必然的に大きくなる。そのことにより安全スイッチレバー３６にもクリープ等を考慮して肉厚を十分にとり強度を持たせなければならない。また、リブ３８にて安全スイッチレバー３６を回動させる力も大きくなるので、受箱２０を本体ケース１８に装着するときの負荷も大きくなるという問題点を有していた。
【０００９】
それに加え、接点板Ａ３４は受箱を取り外した状態でスプリング３７によりたわまされるので、必然的に根本部の応力は大きくなり、場合によっては弾性限界を超えたり、寿命試験等にて疲労破壊したりするという問題点も有していた。
【課題を解決するための手段】
【００１０】
前記従来の課題を解決するために、本発明の鉛筆削りは、モータと、前記モータで駆動されて回転するカッターと、本体ケースに形成された鉛筆挿入口と、前記カッターと前記鉛筆挿入口の間に形成された鉛筆挿入通路と、前記鉛筆挿入通路に挿入された鉛筆を検知し前記モータに通電させるスイッチと、前記鉛筆挿入口と前記スイッチの間に配設され前記鉛筆挿入通路を遮断する位置と前記鉛筆挿入通路を開く位置との間を移動可能な挿入阻止部材と、前記挿入阻止部材を前記鉛筆挿入通路を遮断する位置方向に付勢する付勢手段と、前記本体ケースに着脱自在に装着され鉛筆の削り屑を収納する受箱とからなり、前記受箱は前記本体ケースに収納される過程で前記挿入阻止部材が前記鉛筆挿入通路を遮断する位置から前記鉛筆挿入通路を開く位置に移動させる作動部を具備してなる構成を有するものである。
【００１１】
上記構成により、受箱の出し入れにより動作する、接点板の弾性力に打ち勝つような強い弾性力を持つスプリングを設ける必要がないため不要な負荷の増大がなく受箱の装着を可能にし、接点板の弾性力方向と逆方向に力を加えることによる不要な接点板のたわみもなくなることから、信頼性も向上させるものである。
【発明の効果】
【００１２】
以上のように本発明は、小さい負荷で受箱の出し入れが可能となり、また、接点板の信頼性が向上するという効果を有する。
【発明を実施するための最良の形態】
【００１３】
以下本発明を実施するための最良の形態について、図面を参照しながら説明する。
【００１４】
（実施の形態）
図１（ａ）は本発明の実施の形態１における電気鉛筆削り機の本体ケースの斜視図で、図１（ｂ）は同電気鉛筆削り機の受箱の斜視図、図２は同電気鉛筆削り機の構成断面図、図３は同電気鉛筆削り機における受箱装着時の要部断面図、図４は同電気鉛筆削り機における受箱装着時および鉛筆挿入時の要部断面図、図５は同電気鉛筆削り機における受箱外し時の要部断面図である。
【００１５】
図１に示すように、本体ケース１はその前面に鉛筆挿入口２を備えており、その鉛筆挿入口２の下部には鉛筆の削り屑をためる受箱３が着脱自在に装着される。また、受箱３は作動部である傾斜部を有する一対のリブ３ａを有しており、受箱３が本体ケース１に装着時にはこのリブ３ａは本体ケース１の溝部１ａに入り込む構成になっている。
【００１６】
図２、３，４、５において、カッター４は円柱表面に螺旋状の切削刃を有し、カッターホルダー５はカッター４を回動自在に保持する。内歯車６はカッター４に配設されたピニオンとかみ合い、モータ７の回転はギヤを通じてカッタ−ホルダー５に伝達されている。
鉛筆挿入通路に挿入された鉛筆を検知し前記モータに通電させるスイッチであるスイッチケース８は前面に本体ケース１同様スイッチケースの鉛筆挿入口８ａを備え、内部には一対の接点板９、１０が配設されている。接点板９のスイッチケースの鉛筆挿入口８ａから見える部分９ａは傾斜面を有し鉛筆１３を挿入しやすいようになっている。挿入阻止部材１１はスイッチケース８に配設された４本のガイドピン８ａによって摺動自在に保持されるとともに付勢手段である一対の付勢ばね１２によって下方向に付勢されている。鉛筆挿入口２とカッター４との間の鉛筆１３の破線部分が必然的に鉛筆挿入通路ということになる。
【００１７】
以上のように構成された電気鉛筆削り機において、その動作を説明する。図１の状態から受箱３が本体ケース１に装着される過程で、リブ３ａは本体ケース１の溝部１ａに入り込み、その傾斜部で挿入阻止部材１１を付勢ばね１２に反して押し上げる。その後、本体ケース１に受箱３が完全に装着されると図３のような状態になり、スイッチケースの鉛筆挿入口８ａが開かれる。その後、鉛筆１３が鉛筆挿入口２に挿入されると鉛筆１３は接点板９の傾斜面を移動させ接点板９は図４の位置までたわまされ、その接点部９ｂが接点板１０に接触しモータ７に通電しモータ７は回転する。
【００１８】
受箱３が本体ケース１から着脱されると、挿入阻止部材１１は付勢ばね１２によって下方向に付勢され図５の状態になる。この状態では、スイッチケースの鉛筆挿入口８ａは挿入阻止部材１１によって閉じられており、鉛筆１３を挿入することは不可能になり、よって接点板９の接点部９ｂが接点板１０に接触してモータ７が回転することはないので、極めて安全な電気鉛筆削り機とすることができる。
【産業上の利用可能性】
【００１９】
本発明にかかる電気鉛筆削り機は、小さい負荷で受箱の出し入れが可能となり、また、接点板の信頼性が向上するので、インターロック機構を備えた電気鉛筆削り機として有用である。
【図面の簡単な説明】
【００２０】
【図１】（ａ）本発明の実施の形態１における電気鉛筆削り機の本体ケースの斜視図、（ｂ）同電気鉛筆削り機の受箱の斜視図
【図２】同電気鉛筆削り機の構成断面図
【図３】同電気鉛筆削り機の受箱装着時の要部断面図
【図４】同電気鉛筆削り機の受箱装着時および鉛筆挿入時の要部断面図
【図５】同電気鉛筆削り機の受箱外し時の要部断面図
【図６】従来の電気鉛筆削り機の受箱装着時の要部断面図
【図７】従来の電気鉛筆削り機の受箱装着時および鉛筆挿入時の要部断面図
【図８】従来の電気鉛筆削り機の受箱外し時および鉛筆挿入時の要部断面図
【符号の説明】
【００２１】
１        本体ケース
２        鉛筆挿入口
３        受箱
３ａ      リブ（作動部）
４        カッター
７        モータ
８        スイッチケース
９、１０  接点板
１１      挿入阻止部材
１２      付勢手段
【図１】
2008207518.tif 000003
【図２】
2008207518.tif 000004
【図３】
2008207518.tif 000005
【図４】
2008207518.tif 000006
【図５】
2008207518.tif 000007
【図６】
2008207518.tif 000008
【図７】
2008207518.tif 000009
【図８】
2008207518.tif 000010